(57)【特許請求の範囲】
【請求項１】
回線の閉結前に交換機側から送られる呼出信号を受信する信号受信手段と、その信号受信手段による呼出信号の受信に伴い呼出音を鳴動する鳴動手段と、回線の閉結前に交換機側から送られる相手側装置の識別番号を受信する番号受信手段とを備えたファクシミリ装置において、
その番号受信手段により相手側装置の識別番号を受信したか否かを判断する手段と、
その判断する手段により相手側装置の識別番号を受信したと判断した場合に、その受信された相手側装置の識別番号を記憶する記憶手段と、
その記憶手段に記憶された識別番号の相手側装置がファクシミリ装置であるか否かを判断する判断手段と、
その判断手段により前記相手側装置がファクシミリ装置であると判断された場合に、前記鳴動手段による呼出音の鳴動を禁止する第１禁止手段と、
前記判断する手段により相手側装置の識別番号を受信できなかったと判断された場合に、前記記憶手段の内容をクリアする手段とを備えていることを特徴とするファクシミリ装置。
【請求項２】
一の呼出信号と次の呼出信号との間に相手側装置の識別番号が交換機側から送られる場合に、前記信号受信手段による一の呼出信号の受信に伴う前記鳴動手段による呼出音の鳴動を禁止する第２禁止手段を備えていることを特徴とする請求項１記載のファクシミリ装置。
【発明の詳細な説明】
【０００１】
【発明の属する技術分野】
本発明はファクシミリ装置に関し、特に、受信者による電話回線の閉結前に交換機から送られる相手側装置の電話番号を受信することができるファクシミリ装置に関するものである。
【０００２】
【従来の技術】
ファクシミリ装置は、原稿表面の文字や図形を画像データとして読み取って相手側のファクシミリ装置へ送信したり、或いは、相手側のファクシミリ装置から送られる画像データを受信して記録紙へ印刷するものである。ファクシミリ装置の中には、受話器（ハンドセット）を設けることによって、電話装置としても使用することができるものがある。ファクシミリ装置を電話装置として使用する場合には、着呼（呼出信号の着信）があったことを受信者に報知するため、着呼に伴う呼出音を鳴動する必要がある。しかし、呼出音を鳴動しても、受信者がファクシミリ装置の近くにいない場合には、電話回線を閉結することができないので、相手側のファクシミリ装置から送られる画像データを受信することができない。このため多くのファクシミリ装置では、着呼に伴う呼出音の鳴動回数を設定可能に構成して、着呼があった場合には、予め設定された回数分の呼出音を鳴動し、その間に受話器が取り上げられなければ、自動的に電話回線を閉結してファクシミリ受信動作を行うようにしている。
【０００３】
【発明が解決しようとする課題】
しかしながら、かかるファクシミリ装置では、着呼のあった相手側装置がファクシミリ装置であっても、設定回数分の呼出音が鳴動される。よって、受信者は、相手側装置がファクシミリ装置であるにも拘らず、電話回線を閉結する等の煩雑な操作を強いられてしまうという問題点があった。
【０００４】
本発明は上述した問題点を解決するためになされたものであり、着呼のあった相手側装置がファクシミリ装置である場合に、着呼に伴う呼出音の鳴動を禁止することができるファクシミリ装置を提供することを目的としている。
【０００５】
【課題を解決するための手段】
この目的を達成するために請求項１記載のファクシミリ装置は、回線の閉結前に交換機側から送られる呼出信号を受信する信号受信手段と、その信号受信手段による呼出信号の受信に伴い呼出音を鳴動する鳴動手段と、回線の閉結前に交換機側から送られる相手側装置の識別番号を受信する番号受信手段とを備えており、更に、その番号受信手段により相手側装置の識別番号を受信したか否かを判断する手段と、その判断する手段により相手側装置の識別番号を受信したと判断した場合に、その受信された相手側装置の識別番号を記憶する記憶手段と、その記憶手段に記憶された識別番号の相手側装置がファクシミリ装置であるか否かを判断する判断手段と、その判断手段により前記相手側装置がファクシミリ装置であると判断された場合に、前記鳴動手段による呼出音の鳴動を禁止する第１禁止手段と、前記判断する手段により相手側装置の識別番号を受信できなかったと判断された場合に、前記記憶手段の内容をクリアする手段とを備えている。
【０００６】
この請求項１記載のファクシミリ装置によれば、回線の閉結前に交換機側から送られる呼出信号が信号受信手段により受信されると、その呼出信号の受信に伴い鳴動手段によって呼出音が鳴動される。回線の閉結前に交換機側から送られる相手側装置の識別番号が番号受信手段により受信されたか否かが判断され、相手側装置の識別番号を受信したと判断された場合、その受信された相手側装置の識別番号は記憶手段よって記憶される。一方、相手側装置の識別番号が受信できなかったと判断された場合には、記憶手段の内容がクリアされる。ここで、判断手段によって、記憶手段に記憶された識別番号の相手側装置がファクシミリ装置であるか否かが判断され、その相手側装置がファクシミリ装置であると判断されると、第１禁止手段によって、鳴動手段による呼出音の鳴動が禁止される。
【０００７】
請求項２記載のファクシミリ装置は、請求項１記載のファクシミリ装置において、一の呼出信号と次の呼出信号との間に相手側装置の識別番号が交換機側から送られる場合に、前記信号受信手段による一の呼出信号の受信に伴う前記鳴動手段による呼出音の鳴動を禁止する第２禁止手段を備えている。
【０００８】
【発明の実施の形態】
以下、本発明の好ましい実施例について、図１から図５までの添付図面を参照して説明する。本実施例では、特許請求の範囲に記載のファクシミリ装置として、モデム機能やコピー機能、ファクシミリ機能などの多くの機能を１台に備えた多機能周辺装置（ＭＦＤ（Multi Function Device））１（図１参照）を用いて説明する。
【０００９】
図１に、ＭＦＤ１の外観斜視図を示す。ＭＦＤ１の本体２の側部には、受話器（ハンドセット）３が取り付けられている。受話器３は、非通話時には本体２に設けられた図示しないフック上に置かれ、通話時にはフックから取り上げられて使用される。前者をオンフック状態、後者をオフフック状態と称している。
【００１０】
本体２の上面前部には複数のキー４ａを備えた操作パネル４が設けられ、操作パネル４の左後部には、液晶表示器（ＬＣＤ）５が設けられている。ＭＦＤ１は、この操作パネル４上に設けられた複数のキー４ａが押下されて操作されるとともに、その操作状態や操作手順などがＬＣＤ５へ表示される。
【００１１】
操作パネル４及びＬＣＤ５の後部には原稿挿入口６が設けられている。ファクシミリ動作時に他のファクシミリ装置へ送信される原稿やコピー動作時に複写されるコピー原稿は、この原稿挿入口６に原稿面を下向きにして挿入されるのである。原稿挿入口６へ挿入された原稿は、その原稿画像がスキャナ２２（図２参照）により画像データとして読み取られた後に、本体２の前面であって操作パネル４の下方に設けられた原稿排出口７から排出される。原稿挿入口６の後部には記録紙ホルダ装着部９が設けられており、この記録紙ホルダ装着部９には、複数枚の記録紙を積層収納可能な記録紙ホルダ１０が着脱可能に取り付けられている。記録紙ホルダ１０から供給され、プリンタ２５（図２参照）によって印刷に使用された記録紙は、原稿排出口７の下方に設けられた記録紙排出口８から排出される。また、本体２の一側面には、着呼（呼出信号４６の着信）に伴う呼出音を鳴動するためのスピーカ２８が設けられている。
【００１２】
図２は、ＭＦＤ１の電気的構成を示したブロック図である。ＭＦＤ１には、ＣＰＵ１１、ＲＯＭ１２、ＥＥＰＲＯＭ１３、ＲＡＭ１４、画像メモリ１５、音声メモリ１６、音声ＬＳＩ１７、ネットワーク・コントロール・ユニット（以下「ＮＣＵ」と称す）１９、モデム２０、バッファ２１、スキャナ２２、符号化部２３、復号化部２４、プリンタ２５、操作パネル４、ＬＣＤ５及びアンプ２７が設けられ、これらはバスライン３０を介して互いに接続されている。
【００１３】
ＮＣＵ１９は回線制御を行うためのものであり、ＭＦＤ１はこのＮＣＵ１９を介して電話回線３１に接続されている。ＮＣＵ１９は、交換機２９から送信される呼出信号４６（図４参照）やＭＯＤＥＭ信号４４（図４参照）等の各種信号を受信するとともに、操作パネル４上のキー４ａの操作に応じた発信時のダイヤル信号を交換機２９へ送信したり、更には通話時におけるアナログ音声信号の送受信を行うものである。ここで、ＭＯＤＥＭ信号４４は、ＭＦＤ１が発信電話番号表示サービスに加入している場合に、交換機２９から送信される信号であり、そのデータ中には着呼のあった相手側装置の電話番号（発信者番号）が含まれる。
【００１４】
発信電話番号表示サービスとは、ＭＦＤ１が当該サービスに加入している場合に、交換機２９から発信者番号をＭＦＤ１へ送信するサービスである。発信者番号が送信されるタイミングは、日本やイギリスでは、呼出信号４６の直前の無音区間であり、アメリカでは、最初の呼出信号４６と次の呼出信号４６との間の無音区間である。このため発信者番号は、受信者によってＭＦＤ１の受話器３が取り上げられる前に（受話器３がオンフック状態のまま）ＭＦＤ１によって受信される。よって、このサービスを利用すれば、受話器３が取り上げられる前に、ＬＣＤ５へ発信者番号を表示して、受信者に発信者を認識させることができる。
【００１５】
ＣＰＵ１１は、ＮＣＵ１９を介して送受信される各種信号に従って、バスライン３０により接続された各部を制御し、ファクシミリ動作や電話動作、即ち、データ通信を実行するためのものである。ＲＯＭ１２は、このＭＦＤ１で実行される制御プログラムなどを格納した書換不能なメモリであり、図５のフローチャートに示すプログラムは、このＲＯＭ１２内に格納されている。
【００１６】
ＥＥＰＲＯＭ１３は、書換可能な不揮発性のメモリであり、ＥＥＰＲＯＭ１３へ記憶されたデータは、ＭＦＤ１の電源オフ後も保持される。このＥＥＰＲＯＭ１３は、相手側装置メモリ１３ａを備えている。相手側装置メモリ１３ａは、予め、相手側装置の電話番号（発信者番号）と、その相手側装置がファクシミリ装置であるか否かのデータとを互いに対応つけて記憶するためのメモリである。図３に、その相手側装置メモリ１３ａの構成を模式的に示す。
【００１７】
図３に示すように、相手側装置メモリ１３ａには、電話番号エリア１３ｂと、ＦＡＸフラグ１３ｃとが設けられている。電話番号エリア１３ｂは、発信者番号を記憶するためのエリアである。一方、ＦＡＸフラグ１３ｃは、電話番号エリア１３ｂに記憶されている電話番号の相手側装置がＦＡＸであるか否かのデータを記憶するためのフラグである。電話番号エリア１３ｂに記憶されている電話番号の相手側装置がファクシミリ装置である場合には、ＦＡＸフラグ１３ｃがオンされている。一方、電話番号エリア１３ｂに記憶されている電話番号の相手側装置がファクシミリ装置でない場合、即ち、相手側装置が電話装置である場合には、ＦＡＸフラグ１３ｃはオフされている。なお、電話番号エリア１３ｂのデータおよびＦＡＸフラグ１３ｃのデータは、受信者による操作パネル４上のキー４ａ操作によって、予め、互いに対応つけて記憶されている。
【００１８】
図２に示すＲＡＭ１４は、ＭＦＤ１の各動作の実行時に各種のデータを一時的に記憶するためのメモリであり、発信者番号メモリ１４ａを備えている。発信者番号メモリ１４ａは、着呼があった場合に、発信電話番号表示サービス（「ナンバーディスプレー」、「Caller ID」）によって交換機２９から送られる発信者番号を一時的に記憶するためのメモリである。このため、着呼があっても交換機２９から発信者番号が送信されない場合には、発信者番号メモリ１４ａの内容を「０」クリアしている。従って、発信者番号メモリ１４ａの内容を調べて、「０」でなければ、発信者番号メモリ１４ａに記憶される電話番号の相手側装置からの着呼であると判断でき、一方、発信者番号メモリ１４ａの内容が「０」であれば、着呼のあった相手側装置の電話番号が交換機２９から送信されなかったと判断することができる。
【００１９】
画像メモリ１５は、通信履歴、画像データ及び印刷のためのビットイメージを記憶するためのメモリであり、安価な大容量メモリであるダイナミックＲＡＭ（ＤＲＡＭ）により構成されている。相手側のファクシミリ装置から送られＮＣＵ１９によって受信された画像データは、一旦画像メモリ１５に記憶され、プリンタ２５によって記録紙に印刷された後に、この画像メモリ１５から消去される。一般に、画像データは大容量であるが、画像データが印刷されることを条件にその画像データを消去しているので、画像メモリ１５を有効に使用することができる。
【００２０】
音声メモリ１６は、相手側装置へ送出される応答メッセージや、相手側装置から送られてきた入来メッセージを記憶するためのメモリである。画像メモリ１５と同様に、安価な大容量メモリであるダイナミックＲＡＭ（ＤＲＡＭ）により構成されている。音声メモリ１６に記憶された入来メッセージは、操作パネル４を介して消去操作がなされることにより、或いは、電話回線に接続された他の装置から送られる消去コマンドを受信することによって、消去される。
【００２１】
音声ＬＳＩ１７は、ＮＣＵ１９によって受信されたアナログ音声信号をデジタル音声信号に変換する音声認識処理と、ＭＦＤ１の内部で生成されたデジタル音声信号をアナログ音声信号に変換して、ＮＣＵ１９やスピーカ２８（アンプ２７）へ出力する音声合成処理とを行うためのものである。
【００２２】
操作パネル４は、操作者がこのＭＦＤ１の設定等を行う場合に各種の操作を行うためのものであり、ＬＣＤ５は、操作パネル４上のキー操作に伴う操作状態や操作手順などを表示するためのものである。アンプ２７は、そのアンプ２７に接続されたスピーカ２８を鳴動して、呼出音や音声を出力するためのものである。
【００２３】
このように構成されたＭＦＤ１は、ＮＣＵ１９を介して、電話回線３１に接続されている。この電話回線３１は、ＭＦＤ１側の交換機２９に接続され、この交換機２９は、電話回線３２を介して、他の交換機に接続されている。なお、他の交換機は、更に、電話回線を介して相手側装置に接続されている。
【００２４】
次に、図４を参照して、本ＭＦＤ１が発信電話番号表示サービスに加入している場合に、相手側装置（発呼側装置）から本ＭＦＤ１への着呼に伴い、ＭＦＤ１と交換機２９との間で送受信される各種信号について説明する。
【００２５】
図４に示すように、まず、相手側装置から本ＭＦＤ１へ発呼されると、交換機２９は、ＭＦＤ１との間で各種信号の送受信を行うためにＭＦＤ１と交換機２９とを接続している電話回線３１の極性反転４１を行う。電話回線の極性は、通常、交換機２９側に設けられている直流電源（電池）（図示せず）によって、電話回線の一方（Ｌ１側）がマイナスに、他方（Ｌ２側）がプラスにされている。よって、電話回線の極性反転４１が行われると、電話回線のＬ１側がプラスに、Ｌ２側がマイナスに反転される。
【００２６】
交換機２９は、電話回線の極性反転４１を行うと、ＭＦＤ１へ発信者番号（相手側装置の電話番号）を通知することを示す情報受信端末起動信号４２を送信する。ＭＦＤ１は、この情報受信端末起動信号４２を受信することにより、交換機２９から発信者番号が通知されてくることを認識する。情報受信端末起動信号４２を受信すると、ＭＦＤ１から交換機２９へ発信者番号を受信可能になったことを示す１次応答信号４３が送信される。この１次応答信号４３の送信は、ＭＦＤ１が電話回線を閉結することにより行われる（図５のＳ２）。交換機２９は、交換機２９側から計測した電話回線の抵抗値（ＭＦＤ１の直流（内部）回路の抵抗値を含む）が５０Ω以上１７００Ω以下となると、１次応答信号４３を受信したと判断する。
【００２７】
交換機２９は、１次応答信号４３を受信すると、ＩＴＵ−Ｔ勧告Ｖ．２３に準拠したＭＯＤＥＭ信号４４をＭＦＤ１へ送信する。発信者番号は、このＭＯＤＥＭ信号４４によってＭＦＤ１へ送信される。ＭＦＤ１は、ＭＯＤＥＭ信号４４を受信すると、ＭＯＤＥＭ信号４４により発信者番号を受信したことを示す受信完了信号４５を交換機２９へ送信する。この受信完了信号４５の送信は電話回線を開放することにより行われ（図５のＳ６）、交換機２９は、交換機２９側から計測した電話回線の抵抗値が１ＭΩ以上となると、受信完了信号４５を受信したと判断する。
【００２８】
交換機２９は、受信完了信号４５を受信すると、相手側装置からＭＦＤ１へ着呼があることを示す呼出信号４６をＭＦＤ１へ送信する。ここで、受信者によって受話器３が取り上げられてオフフック状態となると、ＭＦＤ１は、電話回線を閉結することにより、着呼に応答したことを示す２次応答信号４７を交換機２９へ送信する（図５のＳ１４，Ｓ１８）。交換機２９は、前記した１次応答信号４３の場合と同様に、交換機２９側から計測した電話回線の抵抗値（ＭＦＤ１の直流回路の抵抗値を含む）が５０Ω以上１７００Ω以下となると、２次応答信号４７を受信したと判断する。
【００２９】
交換機２９は、２次応答信号４７を受信すると、電話回線の極性復極４８を行う。即ち、この極性の復極により、Ｌ１側がマイナスに、Ｌ２側がプラスに戻される。極性の復極後、電話回線と交換機２９とを介して発信者（相手側装置の通話者）と受信者（ＭＦＤ１の通話者）との間で通話が行われる。
【００３０】
なお、発信電話番号表示サービスに加入していれば、必ず発信者番号が交換機２９から送られるわけではない。具体的には、発呼側装置が電話番号の通知を拒否している場合には、交換機２９からＭＦＤ１へ発信者番号は送信されない。しかし、この場合においても、発信者番号を送信できない旨の情報がＭＯＤＥＭ信号４４によってＭＦＤ１へ送信される。
【００３１】
次に、図５のフローチャートを参照して、上記のように構成されたＭＦＤ１の動作について説明する。図５は、着信時における処理を示したフローチャートである。
【００３２】
図５に示すように、まず、交換機２９から送られる情報受信端末起動信号４２を受信するまで待機し（Ｓ１：Ｎｏ）、情報受信端末起動信号４２を受信すると（Ｓ１：Ｙｅｓ）、交換機２９へ１次応答信号４３を送信するために電話回線を閉結する（Ｓ２）。電話回線の閉結後、上述した発信電話番号表示サービスによって交換機２９から送られる発信者番号を受信したか否かを判断する（Ｓ３）。ＭＯＤＥＭ信号４４のデータ中に含まれる発信者番号を受信した場合には（Ｓ３：Ｙｅｓ）、その受信した発信者番号を発信者番号メモリ１４ａへ書き込む（Ｓ４）。
【００３３】
一方、本ＭＦＤ１が発信電話番号表示サービスに加入していても、発信者が電話番号の送信を拒否している場合には、交換機２９から送られるＭＯＤＥＭ信号４４のデータ中に発信者番号は含まれていないので、発信者番号を受信することができない。よって、かかる場合には（Ｓ３：Ｎｏ）、発信者番号メモリ１４ａの内容を「０」クリアして（Ｓ５）、発信者番号が受信できなかったことを記憶する。
【００３４】
次に、交換機２９へ受信完了信号４５を送信するために電話回線を開放する（Ｓ６）。電話回線の開放後、０．３秒以上の間隔を空けて、交換機２９からＭＦＤ１へ呼出信号４６が送信される。このため、Ｓ６の処理における電話回線の閉結後、０．３秒以上の所定の間隔を空けて交換機２９側から送られる呼出信号４６を受信したか否かを判断する（Ｓ７）。判断の結果、呼出信号４６を受信しなければ（Ｓ７：Ｎｏ）、処理をＳ１へ移行して、交換機２９から送られる新たな情報受信端末起動信号４２を受信するまで待機する（Ｓ１）。
【００３５】
一方、交換機２９から送られる呼出信号４６を受信した場合には（Ｓ７：Ｙｅｓ）、発信者番号メモリ１４ａの内容の電話番号が電話番号エリア１３ｂに記憶されているか否かを確認する（Ｓ８）。発信者番号メモリ１４ａの内容の電話番号が電話番号エリア１３ｂに記憶されていれば（Ｓ８：Ｙｅｓ）、発信者番号メモリ１４ａの内容と同一の電話番号に対応するＦＡＸフラグ１３ｃがオンであるか否かを確認する（Ｓ９）。発信者番号メモリ１４ａの内容と同一の電話番号に対応するＦＡＸフラグ１３ｃがオフであれば（Ｓ９：ＯＦＦ）、発信者番号メモリ１４ａの内容の電話番号に対応する相手側装置、即ち、着呼のあった相手側装置は、ＭＦＤ１に電話装置として登録されているので（ファクシミリ装置として登録されていないので）、Ｓ１０の処理へ移行する。
【００３６】
一方、Ｓ８の処理において、発信者番号メモリ１４ａの内容の電話番号が電話番号エリア１３ｂに記憶されていなければ（Ｓ８：Ｎｏ）、その発信者番号メモリ１４ａの内容の電話番号に対応する相手側装置、即ち、着呼のあった相手側装置がファクシミリ装置であるのか、それとも電話装置であるのかを判断することができないので、Ｓ９の処理をスキップし、Ｓ１０の処理へ移行する。
【００３７】
Ｓ１０の処理では、交換機２９から送られる呼出信号４６が継続しているか否かを確認する。呼出信号４６が継続していれば（Ｓ１０：Ｙｅｓ）、呼出信号４６の受信に伴う呼出音をスピーカ２８から鳴動する（Ｓ１１）。呼出音の鳴動後、受信者によって受話器３が取り上げられ、オフフック状態となったか否かを確認する（Ｓ１２）。受話器３が取り上げられず、オンフック状態のままであれば（Ｓ１２：Ｎｏ）、設定回数分の呼出音を鳴動したか否かを確認する（Ｓ１３）。設定回数分の呼出音の鳴動が未だ終了していなければ（Ｓ１３：Ｎｏ）、設定回数分の呼出音を鳴動するために、処理をＳ１０へ移行して、再度、呼出信号４６が継続しているか否かを確認する（Ｓ１０）。
【００３８】
一方、設定回数分の呼出音の鳴動が終了すれば（Ｓ１３：Ｙｅｓ）、２次応答信号４７を交換機２９へ送信するために電話回線を閉結する（Ｓ１４）。この電話回線の閉結は、受信者によって受話器３が取り上げられなくても、設定回数分の呼出音の鳴動を終了することにより、自動的に行われる。なお、呼出音の鳴動回数は、操作パネル４上の各キー４ａを介して、受信者により設定されている。
【００３９】
Ｓ１４の処理における電話回線の閉結後、ファクシミリ受信処理を実行する（Ｓ１５）。このファクシミリ受信処理では、所定のプロトコルに沿って相手側装置と各種信号の送受信を行うことにより、相手側装置から送られる画像データを受信する。このファクシミリ受信処理が終了すると、電話回線を開放し（Ｓ１６）、処理をＳ１へ移行して、交換機２９から送られる新たな情報受信端末起動信号４２を受信するまで待機する（Ｓ１）。
【００４０】
一方、Ｓ１２の処理において、受信者によって受話器３が取り上げられ、オフフック状態となれば（Ｓ１２：Ｙｅｓ）、電話回線を閉結して（Ｓ１８）、電話処理を実行する（Ｓ１９）。この電話処理では、発信者と受信者との間で通話が行われる。受話器３が下ろされず、オフフック状態のままであれば（Ｓ２０：Ｎｏ）、通話中であるので、電話処理（Ｓ１９）を繰り返し実行する。一方、受話器３が下ろされ、オンフック状態となれば（Ｓ２０：Ｙｅｓ）、電話回線を開放する（Ｓ２１）。電話回線の開放後、処理をＳ１へ移行して、交換機２９から送られる新たな情報受信端末起動信号４２を受信するまで待機する（Ｓ１）。
【００４１】
なお、Ｓ１０の処理において、呼出信号４６が途絶えれば、処理をＳ１へ移行して、交換機２９から送られる新たな情報受信端末起動信号４２を受信するまで待機する（Ｓ１）。
【００４２】
Ｓ９の処理において、発信者番号メモリ１４ａの内容と同一の電話番号に対応するＦＡＸフラグ１３ｃがオンであれば（Ｓ９：ＯＮ）、呼出音の鳴動を禁止し（Ｓ１７）、２次応答信号４７を交換機２９へ送信するために電話回線を閉結して（Ｓ１４）、ファクシミリ受信処理を実行する（Ｓ１５）。
【００４３】
このように、交換機２９から送られ発信者番号メモリ１４ａに記憶された電話番号の相手側装置がファクシミリ装置である場合には、着呼に伴う呼出音の鳴動が禁止される。よって、ファクシミリ装置からの着呼であるにも拘らず、煩雑な操作を受信者に強いることを防止することができるのである。具体的には、受信者による電話回線の閉結操作や、操作パネル４上のキー４ａ操作（ＦＡＸ受信キーの押下など）を防止することができるのである。
【００４４】
また、発信者番号メモリ１４ａの内容と同一の電話番号に対応するＦＡＸフラグ１３ｃがオンであれば、即ち、着呼のあった相手側装置がファクシミリ装置である場合には、所定回数分の呼出信号４６を受信することなく（Ｓ１０，Ｓ１２，Ｓ１３の各処理を実行することなく）、即座に電話回線を閉結して（Ｓ１４）、ファクシミリ受信処理を実行することができる（Ｓ１５）。よって、所定回数分の呼出信号４６を受信した後にファクシミリ受信処理を実行する場合に比べて、電話回線の専有時間を短縮することができるのである。
【００４５】
次に、図６及び図７を参照して、第２実施例について説明する。図６は、第２実施例のＭＦＤ１００と交換機２９との各種信号の送受信における手順を示した図である。なお、前記した第１実施例では、日本で使用されるＭＦＤ１について説明したが、この第２実施例では、アメリカで使用されるＭＦＤ１００について説明する。以下、第１実施例と同一の部分には同一の符号を付してその説明は省略し、異なる部分のみを説明する。
【００４６】
まず、図６を参照して、第２実施例のＭＦＤ１００が発信電話番号表示サービス（「Caller ID」）に加入している場合に、相手側装置からＭＦＤ１００への着呼に伴い、ＭＦＤ１００と交換機２９との間で送受信される各種信号について説明する。図６に示すように、まず、相手側装置からＭＦＤ１００へ発呼されると、交換機２９からＭＦＤ１００へ最初の呼出信号６１が送られる。交換機２９は、最初の呼出信号６１を送信した後に０．５秒以上経過すると、発信者番号（相手側装置の電話番号）を含むデータ６２を送信する。データ６２の送信後、０．２秒以上経過すると、交換機２９からＭＦＤ１００へ、次の（２番目の）呼出信号６１が送信される。
【００４７】
このように、アメリカの発信電話番号表示サービスでは、発信者番号が最初の呼出信号６１と次の呼出信号６１との間に交換機２９から送信される。
【００４８】
なお、第１実施例と同様に、発信電話番号表示サービスに加入していれば、必ず発信者番号が交換機２９から送られるわけではない。具体的には、相手側装置が電話番号の通知を拒否している場合には、交換機２９からＭＦＤ１００へ発信者番号は送信されない。しかし、この場合においても、発信者番号を送信できない旨の情報がデータ６２によってＭＦＤ１００へ送信される。
【００４９】
図７は、第２実施例の着信時における処理を示したフローチャートである。図７に示すように、まず、呼出音の鳴動を禁止する（Ｓ３１）。その後、交換機２９から送られる最初の呼出信号６１を受信したか否かを判断する（Ｓ３２）。呼出信号６１を受信しなければ（Ｓ３２：Ｎｏ）、処理をＳ３１へ移行する。
【００５０】
一方、交換機２９から送られる最初の呼出信号６１を受信すれば（Ｓ３２：Ｙｅｓ）、上述した発信電話番号表示サービスによって交換機２９から送られる発信者番号を受信したか否かを確認する（Ｓ３３）。この場合には、Ｓ１の処理において呼出音の鳴動が禁止されているので、交換機２９から送られる最初の呼出信号６１を受信しても、その最初の呼出信号６１の受信に伴う呼出音は鳴動されない。
【００５１】
Ｓ３３の処理において、データ６２に含まれる発信者番号を受信した場合には（Ｓ３３：Ｙｅｓ）、その受信した発信者番号を発信者番号メモリ１４ａへ書き込む（Ｓ３４）。一方、ＭＦＤ１００が発信電話番号表示サービスに加入していても、発信者が電話番号の送信を拒否している場合には、交換機２９から送られるデータ６２に発信者番号は含まれていないので、発信者番号を受信することができない。よって、かかる場合には（Ｓ３３：Ｎｏ）、発信者番号メモリ１４ａの内容を「０」クリアして（Ｓ３５）、発信者番号が受信できなかったことを記憶する。なお、Ｓ７からＳ２１の各処理は、第１実施例と同一であるので、その説明を省略する。
【００５２】
このように第２実施例では、交換機２９から送られる最初の呼出信号６１の受信に伴う呼出音の鳴動を禁止しているので、発信者番号が最初の呼出信号６１と次の呼出信号６１との間に交換機２９から送信される場合にも、呼出音を鳴動することなく、ファクシミリ受信処理を行うことができるのである。
【００５３】
次に、図８及び図９を参照して、第３実施例について説明する。図８は、第３実施例のＭＦＤ２００と交換機２９との各種信号の送受信における手順を示した図である。なお、第３実施例では、イギリスで使用されるＭＦＤ２００について説明する。以下、第１実施例と同一の部分には同一の符号を付してその説明は省略し、異なる部分のみを説明する。
【００５４】
まず、図８を参照して、第３実施例のＭＦＤ２００が発信電話番号表示サービス（「Caller ID」）に加入している場合に、相手側装置からＭＦＤ２００への着呼に伴い、ＭＦＤ２００と交換機２９との間で送受信される各種信号について説明する。図８に示すように、相手側装置からＭＦＤ２００へ発呼されると、交換機２９は、ＭＦＤ２００との間で各種信号の送受信を行うためにＭＦＤ２００と交換機２９とを接続している電話回線３１の極性反転８１を行う。電話回線の極性は、通常、交換機２９側に設けられている直流電源（電池）（図示せず）によって、電話回線の一方（Ｌ１側）がマイナスに、他方（Ｌ２側）がプラスにされている。よって、電話回線の極性反転８１が行われると、電話回線のＬ１側がプラスに、Ｌ２側がマイナスに反転される。
【００５５】
交換機２９は、電話回線の極性反転８１を行うと、ＭＦＤ２００へ発信者番号（相手側側装置の電話番号）を通知することを示すＴＡＳ信号（Tone Alert Signal）８２を送信する。ＭＦＤ２００は、このＴＡＳ信号８２を受信することにより、交換機２９から発信者番号が通知されてくることを認識する。交換機２９は、ＴＡＳ信号８２の送信後、０．０４５秒以上経過すると、ＣＳ（Channel Seizure）信号８３とＭＡＲＫ信号８４とデータ８５とを連続してＭＦＤ２００へ送信する。ＣＳ信号８３は、以降の情報が発信者番号を示す信号であることを示す信号である。一方、ＭＡＲＫ信号８４は、データ８５の直前に送られる信号であり、ＣＳ信号８３とデータ８５とを区分している。発信者番号は、ＣＳ信号８３およびＭＡＲＫ信号８４の後に交換機２９から送信されるデータ８５に含まれている。
【００５６】
交換機２９は、データ８５の送信後、０．２秒以上経過すると、呼出信号８６をＭＦＤ２００へ送信する。ここで、受信者によって受話器３が取り上げられオフフック状態となると、ＭＦＤ２００は、電話回線の閉結８７を行う（図９のＳ１８）。交換機２９は、ＭＦＤ２００により電話回線の閉結８７が行われると、電話回線の極性復極８８を行う。即ち、この極性の復極により、Ｌ１側がマイナスに、Ｌ２側がプラスに戻される。極性の復極後、電話回線と交換機２９とを介して発信者（発呼側装置の通話者）と受信者（ＭＦＤ１の通話者）との間で通話が行われる。
【００５７】
なお、第１実施例と同様に、発信電話番号表示サービスに加入していれば、必ず発信者番号が交換機２９から送られるわけではない。具体的には、相手側装置が電話番号の通知を拒否している場合には、交換機２９からＭＦＤ２００へ発信者番号は送信されない。しかし、この場合においても、発信者番号を送信できない旨の情報がデータ８５によってＭＦＤ２００へ送信される。
【００５８】
図９は、第３実施例の着信時における処理を示したフローチャートである。図９に示すフローチャートでは、図５に示す第１実施例のフローチャートに対して、Ｓ１の処理、即ち、交換機２９から送られる情報受信端末起動信号４２を受信したか否かを判断する処理を、交換機２９から送られるＴＡＳ信号８２を受信したか否かを判断する処理（Ｓ４１）に変更している。更に、図９に示すフローチャートでは、図５に示すフローチャートに対して、Ｓ２の処理とＳ６の処理とを省略している。
【００５９】
なお、本実施例において、請求項１及び２に記載の判断手段としてはＳ９の処理が、第１禁止手段としてはＳ１７の処理がそれぞれ該当する。請求項２記載の第２禁止手段としては、Ｓ３１の処理が該当する。
【００６０】
以上、実施例に基づき本発明を説明したが、本発明は上記実施例に何ら限定されるものではなく、本発明の趣旨を逸脱しない範囲内で種々の改良変形が可能であることは容易に推察できるものである。
【００６１】
なお、請求項１及び２に記載されている回線の閉結とは、発信者番号を受信するために電話回線を閉結するＳ２の処理を示すものではなく、Ｓ１４およびＳ１８の処理を示すものである。
【００６２】
【発明の効果】
請求項１記載のファクシミリ装置によれば、回線の閉結前に交換機側から送られた識別番号の相手側装置がファクシミリ装置であると判断されると、呼出信号の受信に伴う呼出音の鳴動が禁止される。よって、ファクシミリ装置からの着呼（呼出信号の着信）があった場合には、呼出音の鳴動が禁止されるので、回線を閉結する等の煩雑な操作を受信者に強いることを防止することができるという効果がある。また、相手側装置の識別番号を受信できなかったと判断された場合に、記憶手段の内容をクリアする手段を備えているので、記憶手段の内容を調べて、記憶手段の内容がクリアされていれば、相手側装置の識別番号が交換機から送信されなかったと判断することができる。
【００６３】
請求項２記載のファクシミリ装置によれば、請求項１記載のファクシミリ装置の奏する効果に加え、更に、相手側装置の識別番号が、一の呼出信号と次の呼出信号との間に交換機側から送られる場合には、一の呼出信号の受信に伴う呼出音の鳴動が禁止される。よって、相手側装置の識別番号が一の呼出信号と次の呼出信号との間に交換機側から送信される場合にも、呼出音を鳴動することなく、ファクシミリ受信動作を行うことができるという効果がある。
【図面の簡単な説明】
【図１】本発明の一実施例である多機能周辺装置（ＭＦＤ）の斜視図である。
【図２】上記多機能周辺装置（ＭＦＤ）の電気的構成を示したブロック図である。
【図３】相手側装置メモリの構成を模式的に示した図である。
【図４】多機能周辺装置（ＭＦＤ）と交換機との各種信号の送受信における手順を示した図である。
【図５】着信時の処理を示したフローチャートである。
【図６】第２実施例の多機能周辺装置（ＭＦＤ）と交換機との各種信号の送受信における手順を示した図である。
【図７】第２実施例の着信時の処理を示したフローチャートである。
【図８】第３実施例の多機能周辺装置（ＭＦＤ）と交換機との各種信号の送受信における手順を示した図である。
【図９】第３実施例の着信時の処理を示したフローチャートである。
【符号の説明】
１，１００，２００  多機能周辺装置（ＭＦＤ）（ファクシミリ装置）
１４ａ              発信者番号メモリ（記憶手段）
１９                ネットワークコントロールユニット（ＮＣＵ）（信号受信手段および番号受信手段の一部）
２０                モデム（信号受信手段および番号受信手段の一部）
２１                バッファ（信号受信手段および番号受信手段の一部）
２７                アンプ（鳴動手段の一部）
２８                スピーカ（鳴動手段の一部）
２９                交換機
３１，３２          回線
４４                ＭＯＤＥＭ信号（相手側装置の識別番号）
４６，６１，８６    呼出信号
６２，８５          データ（相手側装置の識別番号）
【図１】
0003575292.tif 000002
【図２】
0003575292.tif 000003
【図３】
0003575292.tif 000004
【図４】
0003575292.tif 000005
【図５】
0003575292.tif 000006
【図６】
0003575292.tif 000007
【図７】
0003575292.tif 000008
【図８】
0003575292.tif 000009
【図９】
0003575292.tif 000010